(57)【特許請求の範囲】
【請求項１】
アノードおよびカソードを有する燃料電池と、
燃料ガスを元圧で供給させるガス源に繋がる元圧弁と前記燃料電池とを連通させると共に、前記元圧弁の開放により前記元圧弁から供給された燃料ガスを前記燃料電池に向けて供給させる燃料ガス通路と、
前記燃料ガス通路に設けられ前記燃料ガス通路を開閉させる遮断弁と、
前記燃料ガス通路において前記遮断弁の下流に設けられ電気入力により駆動して燃料ガスを前記燃料ガス通路の下流に向けて搬送させるガス搬送源と、
前記燃料電池の目標発電量に対応するように前記ガス搬送源の電気入力量に関する物理量の正常値を設定し、発電運転において、前記ガス搬送源への電気入力量に関する物理量を正常値に対して接近または同一となるように制御させる制御部とを具備しており、
前記制御部は、運転中において、（i）前記ガス搬送源に入力される電気入力量に関する物理量が正常値に対して上昇する時間が既定時間以上継続する条件が満足されるとき、
燃料ガスの元圧異常であると判定する元圧異常判定処理を実行し、
前記制御部は、燃料ガスの指示流量と前記ガス搬送源の電気入力量に関する物理量の上昇継続時間との関係を示す上昇継続時間判定マップと、燃料ガスの指示流量と前記ガス搬送源の電気入力量に関する物理量の正常値との関係を示す電気入力量判定マップとを備えており、前記制御部は、前記元圧異常判定処理において、前記電気入力量判定マップおよび前記上昇継続時間判定マップに基づいて燃料ガスの元圧異常であると判定し、
前記制御部は、燃料ガスの指示流量とガス搬送源の電気入力量に関する物理量の変化量の閾値との関係を示す変化量判定マップを備えており、
前記制御部は、前記元圧異常判定処理において、前記電気入力量判定マップ、前記変化量判定マップおよび前記上昇継続時間に基づいて燃料ガスの元圧異常であると判定する燃料電池システム。
【請求項２】
請求項１において、前記制御部は、（i）前記ガス搬送源に入力される電気入力量に関する物理量が正常値に対して上昇する時間が既定時間以上継続する条件と、（ii）前記ガス搬送源に入力される電気入力量に関する物理量が正常値に対して第１規定値以上に上昇する条件とが満足されるとき、
燃料ガスの元圧異常であると判定する元圧異常判定処理を実行する燃料電池システム。
【請求項３】
請求項１または２において、前記燃料ガス通路には、前記遮断弁の下流に設けられ前記燃料ガス通路をこれの下流に向けて流れる燃料ガスの単位時間あたりの流量を直接的または間接的に検知するガス流量計が設けられており、
前記制御部は、
前記燃料電池の目標発電量に対応するように燃料ガスの目標ガス流量を設定し、燃料ガスの目標ガス流量に対応するように前記ガス搬送源の電気入力量に関する物理量の正常値を設定し、
発電運転において、前記ガス流量計で検知される燃料ガスの検知流量が目標ガス流量となるように前記ガス搬送源への電気入力量に関する物理量を正常値に対して接近または同一となるようにフィードバック制御させる燃料電池システム。
【請求項４】
請求項１〜３のうちの一項において、前記制御部は、燃料電池システムの起動時、待機時、発電運転時のうちの少なくとも一つにおいて、前記上昇継続時間判定マップ、前記電気入力量判定マップおよび前記変化量判定マップを更新させる更新処理を実行する燃料電池システム。
【請求項５】
請求項１〜４のうちの一項において、前記ガス搬送源への電気入力量に関する物理量は、前記ガス搬送源に給電されるデューティ値、前記ガス搬送源に給電される電流値、または、前記ガス搬送源の単位時間あたりの駆動量のうちのいずれかである燃料電池システム。
【発明の詳細な説明】
【技術分野】
【０００１】
本発明は燃料電池システムに関する。
【背景技術】
【０００２】
燃料電池システムは、燃料電池と、燃料ガスを元圧で供給させるガス源に繋がる元圧弁と燃料電池とを連通させると共に元圧弁の開放により元圧弁から供給された燃料ガスを燃料電池に向けて供給させる燃料ガス通路と、燃料ガス通路に設けられ燃料ガス通路を開閉させる遮断弁と、燃料ガス通路において遮断弁の下流に設けられ電気入力により駆動して燃料ガスを燃料ガス通路の下流に向けて搬送させるガスポンプとを有する。このような燃料電池システムの運転中には、様々な事情により、燃料ガスの元圧側の異常が発生するおそれがある。元圧異常は早期に検知することが好ましい。しかし、元圧側を燃料電池システムは直接的に検知できず、元圧異常の早期検知は必ずしも容易ではない。
【０００３】
特許文献１は燃料電池システムの制御系を開示する。この制御系は、改質部の内温度に対してPD制御することによる第１操作変化量を導出する第１制御器と、改質部の吐出ガスの目標温度と改質部の吐出ガスの実温度との差に対してPID制御をすることにより第２操作変化量を導出する第２制御器と、第２操作変化量から第１操作変化量を減算して燃焼用燃料ポンプの操作量であるデューティ比を導出するデューティ導出器とを備える。上記により、燃焼用燃料を制御することで、改質出ガス温度を改質触媒の触媒温度活性域に応答性よく、かつ高い安定性で制御が可能となる。
【先行技術文献】
【特許文献】
【０００４】
【特許文献１】特開2006-66300号公報
【発明の概要】
【発明が解決しようとする課題】
【０００５】
前述したように、燃料電池システムの運転中において様々な事情により、燃料ガスの元圧側の異常が発生するおそれがある。このようなおそれとしては、例えば、ガス源の故障、ガス源側の配管損傷、ガス源と燃料電池システムとの間に存在する元圧弁が過誤で閉鎖されること等を例示できる。このような場合、燃料源から元圧弁を介して燃料ガス通路に供給される燃料ガスの流量が急激に減少または消失するおそれがある。この場合、燃料電池に繋がる燃料ガス通路が負圧化され、燃料ガス通路に対して並列に繋がる他のガス機器にも影響を与えるおそれがある。この場合、他のガス機器において燃焼している火炎が消えたり（失火）するおそれがある。
【０００６】
上記した特許文献１は、燃焼用燃料ポンプの操作量であるデューティ値を算出することで改質触媒の触媒活性域に応答性よく制御する。燃料電池の発電運転中において燃料ガスの元圧弁が閉められた場合においても、元圧弁の２次側に残存する燃料ガスを制御にて送ることが可能なため、従来技術のデューティ制御もしばらくは可能である。しかし、残存の燃料ガスで運転している間に、燃料ガス通路は負圧に引かれることで、燃料ガス通路の内部が負圧となる。この場合、燃料ガスに燃料電池に対して並列的に接続されている他のガス機器において失火が発生するおそれがある。
【０００７】
本発明は上記した実情に鑑みてなされたものであり、燃料ガスの元圧異常を早期に検知させ、燃料ガス通路における過剰な負圧化を抑制させるのに有利な燃料電池システムを提供することを課題とする。
【課題を解決するための手段】
【０００８】
（１）様相１に係る燃料電池システム（以下、システムともいう）は、アノードおよびカソードを有する燃料電池と、燃料ガスを元圧で供給させるガス源に繋がる元圧弁と燃料電池とを連通させると共に、元圧弁の開放により元圧弁から供給された燃料ガスを燃料電池に向けて供給させる燃料ガス通路と、燃料ガス通路に設けられ燃料ガス通路を開閉させる遮断弁と、燃料ガス通路において遮断弁の下流に設けられ電気入力により駆動して燃料ガスを燃料ガス通路の下流に向けて搬送させるガス搬送源と、燃料電池の目標発電量に対応するようにガス搬送源の電気入力量に関する物理量の正常値を設定し、発電運転において、ガス搬送源への電気入力量に関する物理量を正常値に対して接近または同一となるように制御させる制御部とを具備しており、
制御部は、運転中において、（i）ガス搬送源に入力される電気入力量に関する物理量が正常値に対して上昇する時間が既定時間以上継続する条件が満足されるとき、燃料ガスの元圧異常であると判定する元圧異常判定処理を実行する。
【０００９】
本様相によれば、制御部は、燃料電池の目標発電量に対応するようにガス搬送源の電気入力量に関する物理量の正常値を設定し、発電運転において、ガス搬送源への電気入力量に関する物理量を正常値に対して接近または同一となるように制御させる。このため、燃料電池の発電量は、目標発電量に対応するように制御される。ここで、物理量の正常値とは、元圧異常がない場合、燃料電池の発電量が目標発電量に対応するように制御されるときにおいて、ガス搬送源への電気入力量に関する物理量を意味する。
【００１０】
ところで、前述したようにシステムの運転中には、様々な事情により、燃料ガスの元圧側の異常が発生するおそれがある。例えば、ガス源の故障、ガス源側の配管損傷、ガス源に繋がる元圧弁をユーザなどが過誤で閉鎖すること等が挙げられる。このような元圧側の異常を早期に検知することが好ましい。元圧側の異常が発生する場合には、ガス源の燃料ガスが元圧弁を介して燃料ガス通路に良好に供給されず、燃料ガス通路を流れる燃料ガスの単位時間あたりの流量が急激に低下する。この場合、燃料ガスの所要の流量を確保させるべく、ガス搬送源の単位時間あたり駆動量を増加させるように、制御部は、ガス搬送源に入力される電気入力量に関する物理量を上昇させる制御を実行する。このため元圧異常が発生すると、ガス搬送源に入力される電気入力量に関する物理量がこれの正常値に対して上昇する。
【００１１】
そこで、本様相によれば、運転中において、ガス搬送源に入力される電気入力量に関する物理量がこれの正常値に対して上昇する時間が既定時間以上継続する条件が満足されるとき、制御部は、燃料ガスの元圧異常であると判定する。なお、ガス搬送源に入力される電気入力量に関する物理量がこれの正常値に対して上昇する時間が既定時間以上継続する条件が満足されないとき、制御部は、燃料ガスの元圧異常ではないと判定することができる。
【００１２】
物理量が正常値に対して上昇するとは、（i）物理量が減少せずに正常値に対して上昇している形態と、（ii）短時間的には局部的に減少している部分も存在するが、基本的には物理量が正常値に対して上昇している形態とを含む。ガス搬送源は、燃料ガス通路において遮断弁の下流に設けられており、電気入力により駆動して燃料ガスを燃料ガス通路の下流に向けて搬送させる機能を有しており、ポンプ、コンプレッサ、ファンを例示できる。ポンプは、回転ポンプ、往復式ポンプ、ダイヤフラムの変形に伴う開閉よりガスを流すダイヤフラムポンプを含む。
【００１３】
ガス搬送源の電気入力量に関する物理量は、ガス搬送源に給電される電圧、ガス搬送源に給電される電流、ガス搬送源に給電されるデューティ値、ガス搬送源の単位時間あたりの駆動量を例示できる。ガス搬送源の単位時間あたりの駆動量は、基本的には、ガス搬送源に給電されるデューティ値、または、ガス搬送源に給電される電流値に相関する。なお、デューティ値（％）は、オンしている時間をＴonとし、オフしている時間をＴoffとするとき、Ｔon／(Ｔon+Ｔoff)×１００（％）をいう。
【００１４】
元圧異常判定処理が実行される運転中とは、システムの発電運転の他に、発電運転前の暖機運転、発電運転後の停止運転を含むことができる。発電運転とは燃料電池が発電している運転をいう。暖機運転とは、燃料電池が発電していないものの、燃料ガスを供給して燃焼火炎を形成し、燃料電池などを加熱して暖機させる運転をいう。停止運転とは、燃料電池が発電していないものの、燃料ガスおよび改質水を供給して燃料ガスを水蒸気により改質させて水素ガスを発生させている運転をいう。なお、燃料電池は固体酸化物形燃料電池、固体高分子形燃料電池、リン酸形燃料電池、溶融炭酸塩形燃料電池のいずれでも良く、要するに、燃料ガスを用いて発電できるものであれば良い。
【００１５】
（２）様相２に係る燃料電池システムによれば、上記様相において、制御部は、（i）ガス搬送源に入力される電気入力量に関する物理量が正常値に対して上昇する時間が既定時間以上継続する条件と、（ii）ガス搬送源に入力される電気入力量に関する物理量がこれの正常値に対して第１規定値以上に上昇する条件とが満足されるとき、燃料ガスの元圧異常であると判定する元圧異常判定処理を実行する。
【００１６】
元圧側の異常が発生する場合には、ガス源の燃料ガスが元圧弁を介して燃料ガス通路に良好に供給されず、燃料ガス通路を流れる燃料ガスの単位時間あたりの流量が急激に低下する。すると、燃料ガスの所要の流量を増加させるべく、ガス搬送源の単位時間あたり駆動量を増加させるように、制御部は、ガス搬送源に入力される電気入力量に関する物理量を上昇させる制御を実行する。このためガス搬送源に入力される電気入力量に関する物理量がこれの正常値に対して上昇する。
【００１７】
そこで、本様相によれば、運転中において、上記（i）の条件の他に、制御部は、（ii）ガス搬送源に入力される電気入力量に関する物理量が正常値に対して第１規定値以上に上昇する条件が満足されるとき、燃料ガスの元圧異常であると判定する。このように（i）および（ii）の双方の条件が判定されるため、判定精度が向上する。第１規定値はシステムに応じて任意に適宜設定できる。
【００１８】
（３）様相３に係る燃料電池システムによれば、上記様相において、燃料ガス通路には、遮断弁の下流に設けられ燃料ガス通路をこれの下流に向けて流れる燃料ガスの単位時間あたりの流量を直接的または間接的に検知するガス流量計が設けられており、制御部は、燃料電池の目標発電量に対応するように燃料ガスの目標ガス流量を設定し、燃料ガスの目標ガス流量に対応するようにガス搬送源の電気入力量に関する物理量の正常値を設定し、発電運転において、ガス流量計で検知される燃料ガスの検知流量が目標ガス流量となるようにガス搬送源への電気入力量に関する物理量を正常値に対して接近または同一となるようにフィードバック制御させる。本明細書では、特に断らない限り、流量は単位時間あたりの流量を意味する。
【００１９】
本様相によれば、燃料ガスの目標ガス流量に対応するようにガス搬送源の電気入力量に関する物理量の正常値を設定し、発電運転において、ガス流量計で検知される燃料ガスの検知流量が目標ガス流量となるようにガス搬送源への電気入力量に関する物理量を正常値に対して接近または同一となるようにフィードバック制御させる。フィードバック制御とは実測値を目標値に対して接近または同一とさせることを目的とする制御を意味する。フィードバック制御は、比例制御、積分制御、微分制御を含む。要するに、ガス流量計で検知される燃料ガスの検知流量が目標ガス流量となるように、制御部はガス搬送源の単位時間あたりの駆動量を制御する。本明細書では、特に断らない限り、ガス搬送源の駆動量は単位時間あたりの駆動量を意味する。
【００２０】
（４）様相４に係る燃料電池システムによれば、上記様相において、制御部は、燃料ガスの指示流量とガス搬送源の電気入力量に関する物理量の上昇継続時間との関係を示す上昇継続時間判定マップと、燃料ガスの指示流量とガス搬送源の電気入力量に関する物理量の正常値との関係を示す電気入力量判定マップとを備えており、制御部は、元圧異常判定処理において、電気入力量判定マップおよび上昇継続時間に基づいて、燃料ガスの元圧異常であると判定する。これらの判定マップに基づいて、制御部は燃料ガスの元圧異常であると判定する。
【００２１】
（５）様相５に係る燃料電池システムによれば、上記様相において、制御部は、燃料ガスの指示流量とガス搬送源の電気入力量に関する物理量の変化量の閾値との関係を示す変化量判定マップを備えており、制御部は、元圧異常判定処理において、電気入力量判定マップ、変化量判定マップおよび上昇継続時間に基づいて、燃料ガスの元圧異常であると判定する。これらの判定マップに基づいて、制御部は燃料ガスの元圧異常であると判定する。
【００２２】
（６）様相６に係る燃料電池システムによれば、上記様相において、制御部は、燃料電池システムの起動時、待機時、発電運転時のうちの少なくとも一つにおいて、上昇継続時間判定マップ、電気入力量判定マップおよび変化量判定マップを更新させる更新処理を実行する。このように判定マップを更新させるため、システムの経年変化に対処できる。経年変化による異物質の積層や詰まり等の影響により、燃料ガスの通路の流路断面積は変化するおそれがある。
【００２３】
（７）様相７に係る燃料電池システムによれば、上記様相において、ガス搬送源への電気入力量に関する物理量は、ガス搬送源に給電されるデューティ値、ガス搬送源に給電される電流値、または、ガス搬送源の単位時間あたりの駆動量のうちのいずれかである。前記したようにガス搬送源は燃料ガスを下流に向けて搬送させる機能を有しており、ポンプ、コンプレッサ、ファンを例示できる。ポンプはダイヤフラムポンプを含む。ガス搬送源の単位時間あたりの駆動量は、基本的には、ガス搬送源に給電されるデューティ値、または、ガス搬送源に給電される電流値に相関する。デューティ値または電流値が増加すれば、ガス搬送源の駆動量も増加する。デューティ値または電流値が減少すれば、ガス搬送源の駆動量も減少する。
【発明の効果】
【００２４】
本発明によれば、ガス源に繋がる元圧弁の閉鎖などに代表される元圧異常を早期に検知させ、燃料ガス通路における過剰な負圧化を抑制させるのに有利な燃料電池システムを提供することができる。
【図面の簡単な説明】
【００２５】
【図１】実施形態１に係り、燃料電池システムの燃料ガス通路付近の概念を模式的に示す図である。
【図２】開放状態の元圧弁を閉鎖させたとき、燃料ガス通路を流れる燃料ガスの流量および圧力と，燃料ポンプのデューティ値と、時間との関係を示すグラフである。
【図３】開放状態の元圧弁を閉鎖させたとき、燃料ガス通路を流れる燃料ガスの流量と，燃料ポンプのデューティ値の変化量と、燃料ガス通路の圧力が規定圧力まで低下した時間との関係を示すグラフである。
【図４】（ａ）は判定マップ１であり、（ｂ）は判定マップ２であり、（ｃ）は判定マップ３である。
【図５】実施形態４に係り、制御部が実行するフローチャートである。
【図６】実施形態５に係り、制御部が実行するフローチャートである。
【図７】実施形態６に係り、制御部が実行するフローチャートである。
【図８】（ａ）は判定マップ１Ｂであり、（ｂ）は判定マップ２Ｂであり、（ｃ）は判定マップ３Ｂである。
【図９】実施形態９に係り、燃料電池システムの概念を模式的に示す図である。
【図１０】実施形態９に係り、制御部の関係に示すブロック図である。
【発明を実施するための形態】
【００２６】
（実施形態１）
図１は燃料電池システムの概念を示す。システムは、アノード１０およびカソード１１を有する燃料電池１と、燃料電池１のカソード１１にカソードガス（一般的は空気）を供給するカソードガス通路７０と、燃料電池１のアノード１０に燃料ガスとしての燃料ガスを供給する燃料ガス通路６と、燃料ガス通路６に設けられたガス搬送源としての燃料ポンプ６０、燃料ガス通路６において燃料ポンプ６０よりも上流つまり燃料ガス通路６の入口側に設けられた遮断弁６９と、燃料ポンプ６０および遮断弁６９を制御するタイマー計測機能をもつ制御部１００と、これらを収容する筐体５とを備えている。
【００２７】
燃料ガス通路６は、改質前の燃料ガス（例えば都市ガス）を改質器２Ａに供給させる通路である。図１に示すように、燃料ガス通路６は、入口側から順に、遮断弁６９、圧力センサ６１、燃料ガスを脱硫させる脱硫器６２、流量計６４、バッファタンク６５、燃料ポンプ６０、逆止弁６６（開閉弁）、発電モジュール１８を直列に配置させている。
【００２８】
配置順はこれに限定されるものではない。燃料ポンプ６０が駆動しているときには、逆止弁６６に作用する通路部分６ｍの圧力は逆止弁６６のリリーフ圧を超えるため、逆止弁６６は開放される。これに対して、燃料ポンプ６０が駆動から停止に移行すると、逆止弁６６に作用する通路部分６ｍの圧力は逆止弁６６のリリーフ圧よりも低下するため、逆止弁６６は内蔵バネにより自動的に閉鎖される。遮断弁６９の上流には、ガス源６３に繋がるガス配管６ｘと、ガス源６３に繋がる元圧弁６ｙ（手動弁または電磁弁）とが設けられている。配管６ｘには、遮断弁６９の上流において他のガス機器９００が並列接続されている。ガス源６３および元圧弁６ｙは筐体５の外部に配置されている。なお、バッファタンク６５は燃料ポンプ６０の脈動圧が流量計６４へ影響することを抑えるものであり、燃料ポンプ６０の脈動圧が制限されれば、バッファタンク６５は廃止されていても良い。
【００２９】
図１に示すように、発電モジュール１８は、燃料ガス通路６に繋がる改質器２Ａと、改質器２Ａの下流に設けられた燃料電池１と、これらを包囲する断熱壁１９とを有する。改質器２Ａは給水路８にも繋がる。改質器２Ａは、改質水搬送源としての改質水ポンプ８０で搬送された液相状の改質水を加熱させて水蒸気とさせる蒸発部２と、蒸発部２で生成された水蒸気で燃料ガスを改質反応させ、水素含有のアノードガスとして改質させる改質部３とを有する。逆止弁６６は、燃料ポンプ６０から発電モジュール１８の改質器２Ａに燃料ガスを矢印Ａ１方向に流入させるものの、その反対方向（矢印Ａ２方向）のガス流れを阻止する。カソードガス通路７０には、カソードガスを燃料電池１のカソード１１に向けて搬送させる第２ガス搬送源としての第２ガスポンプ７１が設けられている。圧力センサ６１が検知した検知信号、流量計６４が検知した検知信号は、制御部１００に入力される。制御部１００は遮断弁６９、燃料ポンプ６０、第２ガスポンプ７１および改質水ポンプ８０等の機器を制御させる。
【００３０】
ところで、燃料電池１の発電運転においては、元圧弁６ｙが開放されており、更に、遮断弁６９が開放状態で且つ燃料ポンプ６０が駆動してガス源６３の燃料ガス（品名：１３Ａ，原料ガス）を燃料ポンプ６０よりも下流の発電モジュール１８の改質器２Ａに向けて矢印Ａ１方向に搬送させる。改質器２Ａに供給された燃料ガスは、改質反応により改質され、水素を含有するアノードガスとされる。アノードガスは燃料電池１のアノード１０に供給される。発電運転において第２ガスポンプ７１が駆動してカソードガス（空気）を発電モジュール１８の燃料電池１のカソード１１に向けて搬送させる。これにより燃料電池１は発電運転して電力を生成させる。
【００３１】
上記したように遮断弁６９が開放された状態で且つ燃料ポンプ６０が駆動して燃料ガスを燃料ポンプ６０よりも下流の発電モジュール１８に向けて供給させて発電運転させる。燃料ポンプ６０が駆動するときには、通路部分６ｍの圧力がリリーフ圧に勝つため、逆止弁６６が自動的に開放される。
【００３２】
さて本実施形態によれば、発電運転において、電力負荷に応じて燃料電池１の目標発電量が設定される。制御部１００は、燃料電池１の目標発電量に対応するように、燃料ポンプ６０のデューティ値（燃料ポンプ６０の電気入力量に関する物理量）の正常値を設定する。そして制御部１００は、発電運転において、燃料ポンプ６０への電気入力量に関する物理量を正常値に対して接近または同一となるようにフィードバック制御させる。このため、燃料電池１の発電量は基本的には目標発電量にほぼ対応するように制御される。
【００３３】
ところで、前述したように燃料電池システムの運転中には、様々な事情により、燃料ガスの元圧側の異常が発生するおそれがある。このようにおそれとしては、例えば、ガス源６３の故障、ガス源６３側の配管損傷、ガス源６３に繋がる元圧弁６ｙをユーザなどが過誤で閉鎖すること等を例示できる。このような元圧側の異常を早期に検知することが好ましい。このように元圧側の異常が発生する場合には、ガス源６３の燃料ガスが元圧弁６ｙを介して燃料ガス通路６に良好に供給されず、燃料ガス通路６を燃料電池１側に向けて矢印Ａ１方向に流れる燃料ガスの単位時間あたりの流量が急激に低下する。低下は、流量計６４により検知される。流量計６４の検知信号は制御部１００に入力される。すると、制御部１００は、燃料ガスの所要の流量を増加させるべく、燃料ポンプ６０の単位時間あたり駆動量を増加させるフィードバック制御させる。この場合、制御部１００は、燃料ポンプ６０の駆動回路に入力されるデューティ値（燃料ポンプ６０に入力される電気入力量に関する物理量に相当）を上昇させる制御を実行する。このため燃料ポンプ６０に入力されるデューティ値がこれの正常値に対して上昇する。ここで、正常値とは、元圧弁６ｙが閉鎖されておらず、元圧が正常であるときにおいて、燃料ガスの目標流量を供給させるように燃料ポンプ６０が駆動するときにおけるデューティ値を意味する。
【００３４】
そこで、燃料電池１がほぼ一定の発電量で発電しているとき、次の（i）および（ii）の条件が満足されるとき、制御部１００は燃料ガスの元圧異常であると判定する。
（i）燃料ポンプ６０に入力されるデューティ値（電気入力量に関する物理量）がこれの正常値に対して上昇する時間が既定時間以上継続する条件
（ii）燃料ポンプ６０に入力されるデューティ値がこれの正常値に対して第１規定値以上に上昇する条件
（i）および（ii）の条件の判定順序は特に問わない。（i）および（ii）の双方の条件が判定されるため、判定精度が向上する。なお、２つの条件が満足されないときには、燃料ガスの元圧異常であると判定しないことができる。第１規定値はシステムに応じて任意に設定される。
【００３５】
（実施形態２）
本実施形態は前記した実施形態１と基本的には同様の構成および同様の作用効果を有しており、図１を準用できる。本実施形態によれば、制御部１００は、燃料ポンプ６０に入力されるデューティ値がこれの正常値に対して第１規定値以上に上昇するという（ii）の条件が満足されるとき、元圧異常の可能性があると仮判定する。次に、元圧異常の可能性があると仮判定した後に、制御部は、（i）燃料ポンプ６０に入力されるデューティ値（電気入力量に関する物理量）がこれの正常値に対して上昇する時間が既定時間以上継続する条件が満足されるか否かを本判定する。仮判定後に本判定するため、判定精度を高め得る。（i）および（ii）の条件が満足されるとき、燃料ガスの元圧異常であると判定する。なお、２つの条件が満足されないとき、制御部１００は、燃料ガスの元圧異常ではないと判定することができる。
【００３６】
（実施形態３）
本実施形態は前記した実施形態１と基本的には同様の構成および同様の作用効果を有しており、図１を準用できる。前記したように、元圧側の異常が発生する場合には、制御部１００は、燃料ガスの所要の流量を増加させるべく、燃料ポンプ６０の単位時間あたり駆動量を増加させるフィードバック制御させる。フィードバック制御は比例制御、積分制御および微分制御を含むことができる。このため元圧側の異常が発生する場合には、燃料ポンプ６０に入力されるデューティ値がこれの正常値に対して上昇する。そこで本実施形態によれば、制御部１００は、（i）の条件が満足されるとき、燃料ガスの元圧異常であると判定する。なお、（i）の条件が満足されないとき、制御部１００は、燃料ガスの元圧異常ではないと判定することができる。
（i）燃料ポンプ６０に入力されるデューティ値（電気入力量に関する物理量）がこれの正常値に対して上昇する時間が既定時間以上継続する条件
（実施形態４）
本実施形態は前記した実施形態１と基本的には同様の構成および同様の作用効果を有しており、図１を準用できる。本発明者等は、図１に示すシステムを用いて発電運転しているときにおいて、元圧弁６ｙが開放されている状態から、元圧弁６ｙが閉鎖される試験例を実施した。図２は、試験例における実際の挙動を表す。図２の横軸は時間（相対値）を示す。図２において、左の縦軸は燃料ガスの単位時間あたりの流量および圧力（相対値）を示す。図２において、特性線Ｂ１は燃料ガス通路６を流れる燃料ガスの流量の目標値を示す。特性線Ｂ２は燃料ガス通路６のバッファタンク６５前の圧力を示す。
【００３７】
特性線Ｂ３は燃料ポンプ６０に給電されるデューティ値を示す。元圧弁６ｙは時刻ｔｃ前において正常に開放されている。このとき、元圧弁６ｙは開放されているため、燃料ガス通路６は圧力Ｐ１に維持されている。元圧弁６ｙは時刻ｔｃおいて閉鎖されている。
【００３８】
図２において特性線Ｂ２に示すように、元圧弁６ｙが閉鎖された時刻ｔｃから、燃料ガス通路６の圧力はＰ１から低下し、最終的には規定圧力Ｐｒよりも低下する。燃料ガスが供給されないためである。そこで、特性線Ｂ３に示すように、燃料ポンプ６０に入力されるデューティ値は時刻ｔｃから急激に上昇する。制御部１００はフィードバック制御により目標ガス量を得るように燃料ポンプ６０を制御させるためである。なお、時刻ｔｆにおいて燃料ポンプ６０の駆動は停止されている。ここで、図２において、燃料ガス通路６の圧力がＰ１（正常状態の圧力）から規定圧力Ｐｒにかけて低下するときにおいて、経過する時間をＴｒとし、デューティ値が上昇する変化量をＤｒとして示す。
【００３９】
本発明者等は、この試験例を燃料ガスの流量をそれぞれ変化させて実行した。図３は、燃料ガスの流量を変化させたときにおける試験結果を示す。即ち、図３は、開放されている元圧弁６ｙが閉鎖された場合について燃料ガスの流量を変化させたときにおける結果を示す。図３の横軸は、燃料ガス通路６を流れている燃料ガスの単位時間あたりの指示流量（ＮＬ／ｍｉｎ，相対値）を示す。Ｑｒはシステムの定格出力のときにおける燃料ガスの指示流量を示す。Ｑｗは、システムが発電運転することなく停止運転しているとき、燃料ガス通路６に供給する燃料ガスの指示流量を示す。なお、停止運転時においても、還元性をもつ水素ガスを水蒸気改質により生成させて発電モジュール１８の構成部品の高温酸化を抑えるべく、燃料ガス通路６に燃料ガスが少量供給される。
【００４０】
図３の右の縦軸および特性線ＣＴは、燃料ガス通路６の圧力がＰ１（元圧異常が発生する前の燃料ガス通路６の圧力）から規定圧力Ｐｒまで低下する時間Ｔｒ（ｓｅｃ，相対値）を示す。図３の左の縦軸および特性線ＣＤは、燃料ガス通路６の圧力がＰ１（元圧異常が発生する前の圧力）のときにおけるデューティ値（正常値に相当）から、規定圧力Ｐｒに低下したときにおけるデューティ値が上昇する変化量Ｄｒ（％）を示す。このように燃料ガス通路６の圧力が低下すると、制御部１００はデューティ値が上昇する。
【００４１】
デューティ値の変化量（％）は、デューティ値の正常値（％）に対する変化量を意味する。例えば、元圧弁６ｙが開放されており、システムが正常に発電運転しているときデューティ値の正常値が２５％のとき、元圧異常（元圧弁６ｙの閉鎖）に起因して、時間Ｔｒ後にデューティ値が３０％に上昇すれば、デューティ値の変化量は５％となる。
【００４２】
図３において特性線ＣＴに示すように、燃料ガスの単位時間あたりの指示流量が増加すると、燃料ガス通路６の圧力がＰ１から規定圧力Ｐｒまで低下する時間（ｓｅｃ）は、基本的には短縮される。特性線ＣＤに示すように、燃料ガスの単位時間あたりの指示流量が増加すると、デューティ値の変化量は基本的には増加する。なお、燃料電池１の発電量が変動するときには、燃料ガスの単位時間あたりの指示流量が変動するため、その指示流量に対応するように、圧力Ｐｒまでの時間、デューティ値変化量が変動する。
【００４３】
図４（ａ）〜図４（ｃ）は、図３に示す特性に基づいて、本発明者等が設定した判定マップを示す。図４（ａ）に係る判定マップ１は、燃料ガス（１３Ａ）の指示流量と、燃料ポンプ６０のデューティ値（燃料ポンプ６０の電気入力量に関する物理量に相当）の正常値との関係を示す電気入力量判定マップを表す。判定マップ１によれば、基本的には、燃料ガスの指示流量が増加すると、燃料ポンプ６０の単位時間あたりの駆動量を増加する必要があるため、燃料ポンプ６０のデューティ値の正常値が増加する。正常値は元圧異常がない状態を前提としている。
【００４４】
図４（ｂ）に係る判定マップ２は、燃料ガスの指示流量と、燃料ポンプ６０のデューティ値の変化量（元圧異常のとき、正常値に対してガス量が増加する側に許容される変化量）の閾値（第１規定値に相当する）との関係を示す変化量判定マップを表す。判定マップ２によれば、基本的には、燃料ガスの指示流量が増加すると、燃料ポンプ６０のデューティ値の正常値に対して許容される変化量の閾値（第１規定値に相当する）が増加する。図４（ｃ）に係る判定マップ３は、燃料ガスの指示流量と、燃料ポンプ６０のデューティ値の上昇継続時間（ｓｅｃ）の閾値との関係を示す上昇継続時間判定マップを表す。判定マップ３によれば、基本的には、燃料ガスの指示流量が増加すると、燃料ポンプ６０のデューティ値が上昇する上昇継続時間の閾値は低下する。
【００４５】
本実施形態によれば、システムが発電運転しているとき、制御部１００は、複数の判定マップ１〜３に基づいて燃料ガスの元圧異常の有無を判定する。このように複数の判定マップ１〜３を用いれば、システムが経年変化しているときでも判定精度が維持される。経年変化としては、燃料ガス通路６の配管等における流路断面積の変動などが例示される。
【００４６】
以下、本実施形態に係る制御則について図５を参照しつつ、更に説明を加える。図５に示すように、元圧異常判定処理を開始する条件（例えば、前回の元圧異常判定処理から一定時間経過していること）が満たされないとき（ステップＳ１０２のＮＯ）には、制御部１００は元圧異常判定処理を開始しない。元圧異常判定処理を開始する条件が満たされたとき（ステップＳ１０２のＹＥＳ）には、制御部１００は、燃料ガス通路６を流れている燃料ガスの現在の指示流量を確定する（ステップＳ１０４）。この場合、制御部１００が燃料ポンプ６０に指示している流量でもよいし、流量計６４で検知される検知流量としても良い。フィードバック制御しているため、指示流量は検知流量に実施的に相当するためである。
【００４７】
次に、制御部１００は、燃料ガスの指示流量に基づいて判定マップ１からデューティ値の正常値（％）を読み込む（ステップＳ１０６）。更に制御部１００は、燃料ガスの指示流量に基づいて判定マップ２からデューティ値の変化量の閾値（％）を読み込む（ステップＳ１０８）。更に、制御部１００は、燃料ガスの指示流量に基づいて判定マップ３から、デューティ値の上昇継続時間（ｓｅｃ）の閾値を読み込む（ステップＳ１１０）。
【００４８】
次に、制御部１００は、判定マップ１から求めたデューティ値の正常値（％）と、判定マップ２から求めたデューティ値の変化量の閾値（％）とを加算させ、判定値Ｄｘを得る（ステップＳ１１２）。判定値Ｄｘは、燃料ポンプ６０に入力されるデューティ値が正常値に対して第１規定値以上に上昇する条件が考慮されているパラメータである。
【００４９】
更に、制御部１００は、燃料ポンプ６０に入力されている実際のデューティ値と判定値Ｄｘとを比較する（ステップＳ１１４）。そして、実際のデューティ値が判定値Ｄｘ以下であれば（ステップＳ１１４のＹＥＳ）、デューティ値の上昇変化量が少なく、制御部１００は元圧正常と判定し、正常フラグをたて（ステップＳ１１６）、メインルーチンにリターンする。実際のデューティ値が判定値Ｄｘよりも大きいとき（ステップＳ１１４のＮＯ）、デューティ値の上昇変化量が大きく、元圧異常の可能性が高いと１次的に判定し、ステップＳ１１８に進む。そして制御部１００は、デューティ値の実際の上昇継続時間（ｓｅｃ）が、判定マップ３に係るデューティ値の上昇継続時間（ｓｅｃ）の閾値を超えていれば（ステップＳ１１８のＮＯ）、元圧の異常可能性が高いと判定し、元圧異常フラグをたてる（ステップＳ１２０）。更に制御部１００は警報器に警報を出力する（ステップＳ１２２）。この場合、システムを停止させることが好ましい。デューティ値の実際の上昇継続時間（ｓｅｃ）がデューティ値の上昇継続時間（ｓｅｃ）の閾値以下であれば（ステップＳ１１８のＹＥＳ）、元圧異常ではないと判定し、メインルーチンにリターンする。
【００５０】
なお、元圧異常判定処理は燃料電池１の発電量が一定域のときに実行することが好ましい。但し、電力負荷の要請に応じて燃料電池１の発電量が変動するときには、燃料ガスの単位時間あたりの指示流量が変動するため、その指示流量に対応するように、デューティ値の正常値（図４（ａ）の判定マップ１を参照）、閾値（図４（ｂ）の判定マップ２を参照）、上昇継続時間（図４（ｃ）の判定マップ３を参照）を変更させるので、判定には支障がない。
【００５１】
なお本実施形態によれば、燃料ポンプ６０のデューティ値の上昇継続時間に基づいて元圧異常を検知できるため、燃料ガス通路６の圧力を検知する圧力センサまたは圧力スイッチが燃料ガス通路６に設けられていない。但し、必要に応じて圧力センサまたは圧力スイッチを燃料ガス通路６が設けられていても良い。他の実施形態についても同様である。
【００５２】
（実施形態５）
図６は実施形態５を示す。本実施形態は前記した実施形態１〜４と基本的には同様の構成および同様の作用効果を有しており、図１〜図４を準用できる。以下、本実施形態に係る制御則について図６を参照しつつ説明する。本実施形態では判定マップ１は用いない。図６に示すように、元圧異常判定処理を開始する条件（例えば、前回の元圧異常判定処理から一定時間経過していること）が満たされないとき（ステップＳ１０２ＢのＮＯ）には、制御部１００は元圧異常判定処理を開始しない。元圧異常判定処理を開始する条件が満たされたとき（ステップＳ１０２ＢのＹＥＳ）には、制御部１００は、燃料ガス通路６を流れている燃料ガスの現在の指示流量を確定する（ステップＳ１０４Ｂ）。更に制御部１００は、燃料ガスの指示流量に基づいて、判定マップ２からデューティ値の変化量の閾値（％）を読み込む（ステップＳ１０８Ｂ）。更に、制御部１００は、燃料ガスの指示流量に基づいて判定マップ３から、デューティ値の上昇継続時間（ｓｅｃ）の閾値を読み込む（ステップＳ１１０Ｂ）。次に、制御部１００は、判定マップ２から求めたデューティ値の変化量の閾値（％，第１規定値に相当）を判定値Ｄｘとする（ステップＳ１１２Ｂ）。
【００５３】
更に、制御部１００は、基準値ＤＳと判定値Ｄｘとを比較する（ステップＳ１１４Ｂ）。判定値Ｄｘが基準値ＤＳ以下であれば（ステップＳ１１４のＹＥＳ）、デューティ値の上昇変化量が少な目であり、元圧正常と判定し、正常フラグをたて（ステップＳ１１６Ｂ）、メインルーチンにリターンする。ここで、基準値ＤＳは、システムに応じて燃料ガスのガス流量に基づいて予め任意に定められており、デューティ値の上昇変化量を許容する閾値である。ステップＳ１１４Ｂにおいて判定した結果、判定値Ｄｘが基準値ＤＳよりも大きければ（ステップＳ１１４ＢのＮＯ）と、元圧異常の可能性が高いと判定し、ステップＳ１１８Ｂに進む。ステップＳ１１８Ｂにおいて、デューティ値の実際の上昇継続時間（ｓｅｃ）が、判定マップ３に係るデューティ値の上昇継続時間（ｓｅｃ）の閾値よりも大きいときには（ステップＳ１１８ＢのＮＯ）、元圧異常と判定し、元圧異常フラグをたてる（ステップＳ１２０Ｂ）。制御部１００は警報器に警報を出力する（ステップＳ１２２Ｂ）。この場合、システムを停止させることが好ましい。デューティ値の実際の上昇継続時間（ｓｅｃ）がデューティ値の上昇継続時間（ｓｅｃ）の閾値以下であれば（ステップＳ１１８ＢのＹＥＳ）、元圧異常ではないと判定し、メインルーチンにリターンする。
【００５４】
（実施形態６）
図７は実施形態６を示す。本実施形態は前記した実施形態１〜５と基本的には同様の構成および同様の作用効果を有しており、図１〜図４を準用できる。以下、本実施形態に係る制御則について図７を参照しつつ説明する。本実施形態では判定マップ１，２は用いない。
【００５５】
図７に示すように、元圧異常判定処理を開始する条件（例えば、前回の元圧異常判定処理から一定時間経過していること）が満たされないとき（ステップＳ２０２のＮＯ）には、元圧異常判定処理は開始されない。元圧異常判定処理を開始する条件が満たされたとき（ステップＳ２０２のＹＥＳ）には、制御部１００は、燃料ガス通路６を流れている燃料ガスの現在の指示流量を確定する（ステップＳ２０４）。更に制御部１００は、燃料ガスの指示流量に基づいて判定マップ３から、デューティ値の上昇継続時間（ｓｅｃ）の閾値を読み込む（ステップＳ２０６）。次に、制御部１００は、デューティ値の実際の上昇継続時間（ｓｅｃ）が、判定マップ３に係るデューティ値の上昇継続時間（ｓｅｃ）の閾値よりも大きければ（ステップＳ２０８のＮＯ）、元圧異常の可能性が高いと判定し、元圧異常フラグをたてる（ステップＳ２１２）。制御部１００は警報器に警報を出力する（ステップＳ２１４）。この場合、システムを停止させることが好ましい。デューティ値の実際の上昇継続時間（ｓｅｃ）がデューティ値の上昇継続時間（ｓｅｃ）の閾値以下であれば（ステップＳ２０８のＹＥＳ）、元圧異常ではないと判定し、正常フラグをたて（ステップＳ２１０）、メインルーチンにリターンする。
【００５６】
（実施形態７）
図８は実施形態７を示す。本実施形態は前記した実施形態１〜６と基本的には同様の構成および同様の作用効果を有する。燃料ポンプ６０に給電されるデューティ値（％）は、燃料ポンプ６０の単位時間当たりの駆動量に対応する。ここで、燃料ポンプ６０に給電されるデューティ値が大きければ、燃料ポンプ６０の駆動量は増加する。これに対して、燃料ポンプ６０に給電されるデューティ値が小さければ、燃料ポンプ６０の駆動量は減少する。従って、図４（ａ）〜図４（ｃ）の縦軸を示すデューティ値は、燃料ポンプ６０の単位時間当たりの駆動量と置換することができる。図８（ａ）〜図８（ｃ）に係る判定マップは、かかる観点に基づいて作製されたものである。
【００５７】
すなわち、図８（ａ）〜図８（ｃ）は、発電運転中において元圧弁６ｙが閉鎖された場合における実際の挙動に基づいて、本発明者等が作製した判定マップを示す。図８（ａ）に係る判定マップ１Ｂは、燃料ガスの指示流量と、燃料ポンプ６０の単位時間当たりの駆動量の正常値との関係を示す。図８（ａ）に係る判定マップ１Ｂによれば、基本的には、燃料ガスの指示流量が増加すると、燃料ポンプ６０のデューティ値が増加するため、燃料ポンプ６０の単位時間あたりの駆動量の正常値が増加する。
【００５８】
図８（ｂ）に係る判定マップ２Ｂは、燃料ガスの指示流量と、燃料ポンプ６０の単位時間あたり駆動量の許容される上昇変化量の閾値との関係を示す。判定マップ２Ｂによれば、基本的には、燃料ガスの指示流量が増加すると、燃料ポンプ６０のデューティ値が増加するため、燃料ポンプ６０の単位時間あたりの駆動量の変化量の閾値が増加する。
【００５９】
図８（ｃ）に係る判定マップ３Ｂは、燃料ガスの指示流量と、燃料ポンプ６０の単位時間あたり駆動量の上昇継続時間（ｓｅｃ）の閾値との関係を示す。判定マップ３Ｂによれば、基本的には、燃料ガスの指示流量が増加すると、燃料ポンプ６０のデューティ値が上昇するため、燃料ポンプ６０の単位時間あたりの駆動量の上昇継続時間（ｓｅｃ）の閾値は、低下する。
【００６０】
本実施形態によれば、システムが発電運転しているとき、制御部１００は、判定マップ１Ｂ，判定マップ２Ｂ，判定マップ３Ｂに基づいて、燃料ガスの元圧異常であると判定することができる。このように複数の判定マップを用いれば、システムが経年変化しているときでも、判定精度を維持できる。
【００６１】
なお、図５〜図７のフローチャートに示す制御則に基づいて制御部１００は判定処理を実行することができる。この場合、判定マップ１は判定マップ１Ｂに相当する。判定マップ２は判定マップ２Ｂに相当する。判定マップ３は判定マップ３Ｂに相当する。図５のフローチャートに示す制御則に基づいて制御部１００は判定マップ１Ｂ，２Ｂ，３Ｂを用いる。図６のフローチャートに示す制御則に基づいて、制御部１００は判定マップ２Ｂ，３Ｂを用いる。図７のフローチャートに示す制御則に基づいて、制御部１００は判定マップ３Ｂを用いる。
【００６２】
（実施形態８Ａ）
以下、本発明の実施形態８Ａについて説明する。本実施形態は前記した実施形態１〜７と基本的には同様の構成および同様の作用効果を有する。制御部１００は、燃料電池システムの起動前（暖機運転していないとき）において、判定マップ１（または判定マップ１〜判定マップ３）を更新させる更新処理を実行する。この場合、システムの起動前であるため、遮断弁６９は閉鎖されており、燃料ポンプ６０は停止されており、燃料ガスは燃料ガス通路６に供給されていない。制御部１００は更新処理を実行する。
【００６３】
更新処理では、制御部１００は遮断弁６９を開放させると共に、燃料ポンプ６０をオンさせる。そして、燃料ポンプ６０のデューティ値を変化させることにより燃料ポンプ６０の単位時間あたり駆動量を変化させ、これにより燃料ガス通路６を流れる燃料ガスの単位時間あたりの流量を複数点として変化させる。燃料ガスの流量は流量計６４で検知される。制御部１００は、燃料ガス通路６を流れる燃料ガスの単位時間あたりの流量と燃料ポンプ６０のデューティ値の正常値との相関データを採取する。制御部１００は、相関データを採取したら、閾値を考慮しつつ、図４（ａ）の判定マップ１を更新させる。また、制御部１００は、圧力センサを設けたシステム構成においては、燃料ガスを規定流量流した状態から遮断弁６９を閉じてデューティ上昇量および上昇継続時間を検出し、図４（ｂ）の判定マップ２、図４（ｃ）の判定マップ３を更新させても良い。更新処理の時間がなければ、燃料ガスの単位時間あたりの流量を２点または３点変化させ、近似式を採取することにしても良い。なお、図８（ａ）の判定マップ１Ｂ、図８（ｂ）の判定マップ２Ｂ、図８（ｃ）の判定マップ３Ｂを更新させることにしても良い。前記した実施形態１〜７において制御部１００は更新処理を実行しても良い。
【００６４】
（実施形態８Ｂ）
以下、本発明の実施形態８Ｂについて説明する。本実施形態は前記した実施形態８Ａと基本的には同様の構成および同様の作用効果を有する。制御部１００は、燃料電池システムの発電運転を停止している待機時において、判定マップ１（または判定マップ１〜判定マップ３）を更新させる更新処理を実行する。上記した待機時は、システムの発電運転を停止させ、且つ、燃料ガスおよびカソードガスが燃料電池に供給されていない状態をいう。システムの待機時であるため、遮断弁６９は閉鎖されており、燃料ポンプ６０は停止されており、燃料ガスは燃料ガス通路６に供給されていない。制御部１００は更新処理を実行する。更新処理では、制御部１００は遮断弁６９を開放させると共に、燃料ポンプ６０をオンさせる。そして、燃料ポンプ６０のデューティ値を変化させることにより燃料ポンプ６０の単位時間あたり駆動量を変化させ、これにより燃料ガス通路６を流れる燃料ガスの単位時間あたりの流量を変化させる。更新処理の時間がなければ、燃料ガスの単位時間あたりの流量を２点または３点変化させ、近似式を採取することにしても良い。また、制御部１００は、遮断弁６９を閉じてデューティ上昇量および上昇継続時間を検出し、判定マップ２および判定マップ３を更新させても良い。なお、図８（ａ）の判定マップ１Ｂ、図８（ｂ）の判定マップ２Ｂ、図８（ｃ）の判定マップ３Ｂを更新させることにしても良い。前記した実施形態１〜７において制御部１００は更新処理を実行しても良い。
【００６５】
（実施形態８Ｃ）
以下、本発明の実施形態８Ｃについて説明する。本実施形態は前記した実施形態８Ａ，８Ｂと基本的には同様の構成および同様の作用効果を有する。制御部１００は、燃料電池システムの発電運転において、電力負荷が最大のとき、判定マップ１（または判定マップ１〜判定マップ３）を更新させる更新処理を実行する。この場合、制御部１００は、燃料電池システムの発電運転において、電力負荷が最大のとき、燃料ポンプ６０のデューティ値を次第に減少させることにより燃料ポンプ６０の単位時間あたりの駆動量を減少させ、これにより燃料ガス通路６を流れる燃料ガスの単位時間あたりの流量を次第に減少させて更新処理を行う。この場合、燃料電池１の発電量が次第に低下するため、燃料電池１から電力負荷に給電される給電量が低下する。しかし燃料電池システムの系統連系している商用電源から電力負荷への給電が実行されるため、電力負荷には支障がない。
【００６６】
更新処理では、制御部１００は、燃料ガス通路６を流れる燃料ガスの単位時間あたりの流量と燃料ポンプ６０のデューティ値の正常値との相関データを採取する。制御部１００は、相関データを採取したら、閾値を考慮しつつ、図４（ａ）の判定マップ１を更新させる。また、制御部１００は、圧力センサを設けたシステム構成においては、燃料ガスを規定流量流した状態から遮断弁６９を閉じてデューティ上昇量および上昇継続時間を検出し、図４（ｂ）の判定マップ２、図４（ｃ）の判定マップ３を更新させても良い。更新処理の時間がなければ、燃料ガスの単位時間あたりの流量を２点または３点変化させ、近似式を採取することにしても良い。なお、図８（ａ）の判定マップ１Ｂ、図８（ｂ）の判定マップ２Ｂ、図８（ｃ）の判定マップ３Ｂを更新させることにしても良い。前記した実施形態１〜７において制御部１００は更新処理を実行しても良い。
【００６７】
（実施形態８Ｄ）
以下、本発明の実施形態８Ｄについて説明する。本実施形態は前記した実施形態８Ａ，８Ｂ，８Ｃと基本的には同様の構成および同様の作用効果を有する。制御部１００は、燃料電池システムの発電運転において定期的（例えば、１週間毎、１ヶ月毎）に、判定マップ１（または判定マップ１〜判定マップ３）を更新させる更新処理を実行する。この場合、制御部１００は、燃料電池システムの発電運転において定期的に、燃料ポンプ６０のデューティ値を次第に減少させることにより燃料ポンプ６０の単位時間あたりの駆動量を減少させ、これにより燃料ガス通路６を流れる燃料ガスの単位時間あたりの流量を次第に減少させる。あるいは、燃料ポンプ６０のデューティ値を次第に増加させることにより燃料ポンプ６０の単位時間あたりの駆動量を増加させ、これにより燃料ガス通路６を流れる燃料ガスの単位時間あたりの流量を次第に増加させる。これにより実施形態８Ａ〜８Ｃと同様に、遮断弁６９を開（または閉）状態とし、燃料ガス通路６を流れる燃料ガスの単位時間あたりの指示流量と燃料ポンプ６０のデューティ値等との各種の相関データを採取して更新させる。更新処理の時間がなければ、燃料ガスの単位時間あたりの流量を２点または３点変化させ、近似式を採取することにしても良い。なお、図８（ａ）の判定マップ１Ｂ、図８（ｂ）の判定マップ２Ｂ、図８（ｃ）の判定マップ３Ｂを更新させることにしても良い。前記した実施形態１〜７において制御部１００は更新処理を実行しても良い。
【００６８】
（実施形態９）
図９および図１０は実施形態９の概念を示す。本実施形態は上記実施形態１〜７，８Ａ〜８Ｄと基本的には同様の作用および効果を有する。以下、相違する部分を中心として説明する。図９に示すように、燃料電池システムは、燃料電池１と、液相状の水を蒸発させて水蒸気を生成させる蒸発部２と、蒸発部２で生成された水蒸気を用いて燃料ガスを改質させてアノードガスを形成する改質部３と、蒸発部２に供給される液相状の水を溜める水タンク４と、これらを収容する筐体５とを有する。燃料電池１は、イオン伝導体を挟むアノード１０とカソード１１とをもち、例えば、ＳＯＦＣとも呼ばれる固体酸化物形燃料電池（運転温度：例えば４００℃以上）に適用できる。
【００６９】
改質部３は、セラミックス担体に改質触媒を担持させて形成されており、蒸発部２に隣設されている。改質部３および蒸発部２は改質器２Ａを構成しており、燃料電池１と共に断熱壁１９で包囲され、発電モジュール１８を形成している。発電電運転時には、改質器２Ａは改質反応に適するように断熱壁１９内において加熱される。発電運転時には、蒸発部２は水を加熱させて水蒸気とさせ得るように加熱される。燃焼部１０５は改質部３および蒸発部２を加熱させる。燃料ガス通路６は、ガス源６３からの燃料を元圧弁６ｙを介して改質器２Ａに供給させるものであり、遮断弁６９、脱硫器６２、燃料ポンプ６０および流量計６４をもつ。配置順は特に限定されない。燃料電池１のカソード１１には、カソードガス（空気）をカソード１１に供給させるためのカソードガス通路７０が繋がれている。カソードガス通路７０には、カソードガス搬送用のガス搬送源として機能するカソードポンプ７１、流量計７２が設けられている。
【００７０】
図９に示すように、筐体５は、外気に連通する吸気口５０と排気口５１と吸気口５０付近（外気）の温度を検知する温度センサ５７とをもつ。温度センサ５７は必要に応じて設ければ良い。筐体５には、改質部３で改質される液相状の改質水を溜める水タンク４が収容されている。水タンク４には、排水弁４０ｍが設けられており、更に、電気ヒータ等の加熱機能をもつ加熱部４０が必要に応じて設けられている。加熱部４０は、水タンク４に貯留されている改質水を加熱させるものであり、電気ヒータ等で形成できる。外気温度等の環境温度が低いとき等には、制御部１００からの指令に基づいて、水タンク４の水は加熱部４０により加熱され、凍結が抑制される。なお、水タンク４内の水位は基本的にはほぼ同一となるようにされていることが好ましい。
【００７１】
図９に示すように、水タンク４の出口ポート４ｐと蒸発部２の入口ポートとを連通させる給水路８が、配管として筐体５内に設けられている。図９に示すように、筐体５内において、水タンク４は蒸発部２の下側に配置されているため、給水路８は上下方向に沿って延びる。給水路８は、水タンク４内に溜められている水を水タンク４の出口ポート４ｐから蒸発部２に供給させる通路である。給水路８には、水タンク４内の水を蒸発部２まで搬送させる改質水ポンプ８０が設けられている。なお、給水路８は蒸発部２，改質部３、燃料電池１等を介して大気に連通するようにされている。改質水ポンプ８０を水タンク４の出口ポート４ｐ側に設けても良い。
【００７２】
給水路８において、改質水ポンプ８０の下流で且つ蒸発部２の上流において水センサ８７が設けられている。水センサ８７は、給水路８において蒸発部２の入口ポートの直前に配置されていることが好ましい。なお、給水路８には、改質水の流量を測定する流量計は設けられていない。場合によっては、演算結果のチェック等のため、給水路８に流量計を設けることにしても良い。
【００７３】
図１０に示すように、改質水ポンプ８０を駆動回路を介して制御するための制御部１００が設けられている。制御部１００は、入力処理回路１００ａ、出力処理回路１００ｂ、タイマー計測機能をもつＣＰＵ１００ｃ、記憶部として機能するメモリ１００ｍとを有する。制御部１００には、水センサ８７，温度センサ５７の検知信号がそれぞれ入力される（図１０参照）。制御部１００は改質水ポンプ８０を制御する。更に、制御部１００はカソードポンプ７１，燃料ポンプ６０、遮断弁６９、警報器１０２を制御することができる。
【００７４】
（システムの運転）
システムの発電運転を実施するとき、制御部１００は、発電運転に先だって暖機運転を実行する。暖機運転では、制御部１００は、遮断弁６９を開放させた状態で、燃料ポンプ６０を駆動させて燃料ガスを燃料ガス通路６に介して発電モジュール１８の燃料電池１を介して燃焼部１０５に供給させる。制御部１００はカソードポンプ７１も駆動させてカソードガス通路７０を介して空気を発電モジュール１８のカソード１１を介して燃焼部１０５に供給させる。図略の着火部が着火するため、燃焼部１０５において燃料ガス（例えば都市ガス）が空気により燃焼する。燃焼が継続するため、燃焼部１０５における燃焼熱により、改質部３、蒸発部２および燃料電池１が加熱されて暖機される。蒸発部２が所定温度まで加熱されると、改質水ポンプ８０を駆動させて水タンク４の改質水を蒸発部２に供給する。改質水供給により改質部３で改質反応が開始され、生成された改質ガスをカソードガスにより燃焼され、燃焼熱により改質部３、蒸発部２および燃料電池１を継続して加熱し暖気する。改質部３、蒸発部２および燃料電池１が所定の温度域に加熱されると、制御部１００は暖機運転を終了させ、発電運転に移行させる。
【００７５】
制御部１００は、改質水ポンプ８０を駆動させると、水タンク４内の液相状の改質水は、水タンク４の出口ポート４ｐから給水路８を搬送され入口ポートから蒸発部２に供給される。改質水は、蒸発部２で加熱されて水蒸気とされる。水蒸気は、燃料ガス通路６から供給される燃料と共に改質部３に移動する。改質部３において燃料ガスは、水蒸気で改質されてアノードガス（水素含有ガス）となる。アノードガスはアノードガス通路７３を介して燃料電池１のアノード１０に供給される。更にカソードポンプ７１が駆動してカソードガス（酸素含有ガス、筐体５内の空気）がカソードガス通路７０を介して燃料電池１のカソード１１に供給される。これにより燃料電池１が発電する。カソード１１から吐出されたカソードオフガスは、発電反応に消費されなった酸素を含む。アノード１０から吐出されたアノードオフガスは、発電反応に消費されなった水素を含む。従って、発電運転においても燃焼部１０５においてアノードオフガスがカソードオフガスにより燃焼され、改質部３および蒸発部２が改質反応に適するように加熱される。
【００７６】
暖機運転および発電運転において、発電モジュール１８で発生した高温の排ガスは、排ガス通路７５を介して筐体５の外方に排気される。排ガス通路７５には、凝縮機能をもつ熱交換器７６が設けられている。貯湯槽７７に繋がる貯湯通路７８および貯湯ポンプ７９が設けられている。貯湯通路７８は往路７８ａおよび復路７８ｃをもつ。貯湯槽７７の低温の水は、貯湯ポンプ７９の駆動により、貯湯槽７７の出口ポート７７ｐから吐出されて往路７８ａを通過し、熱交換器７６に至り、熱交換器７６で排ガスにより加熱される。熱交換器７６で加熱された水は、復路７８ｃを介して帰還ポート７７ｉから貯湯槽７７に帰還する。このようにして貯湯槽７７の水は温水となる。前記した排ガスに含まれていた水蒸気は、熱交換器７６で凝縮されて凝縮水となる。凝縮水は、熱交換器７６から延設された凝縮水通路４２を介して重力等により浄水部４３に流下される。従って、浄水部４３および水タンク４は発電モジュール１８の下側に位置する。
【００７７】
浄水部４３はイオン交換樹脂等の水浄化剤４３ａを有するため、凝縮水の不純物は除去される。不純物が除去された水は水タンク４に移動し、水タンク４に改質水として溜められる。改質水ポンプ８０が正運転で駆動すると、水タンク４内の改質水は給水路８を介して高温の蒸発部２に供給され、蒸発部２で水蒸気とされて改質部３に供給され、改質部３において燃料ガスを改質させる改質反応として消費される。水蒸気改質の一般式は（１）と考えられている。
（１）…ＣｎＨｍ＋ｎＨ２Ｏ→ｎＣＯ＋[（ｍ／２）＋ｎ]Ｈ２
ｎ，ｍは特定の整数を示す。ｎ＝１，ｍ＝４の場合には、メタン（ＣＨ４）が水蒸気改質される。
【００７８】
本実施形態においても、実施形態１〜実施形態４，実施形態８Ａ〜８Ｄの構成を適用できる。すなわち、（i）燃料ポンプ６０に入力されるデューティ値（電気入力量に関する物理量に相当）が正常値に対して上昇する時間が既定時間以上継続する条件と、（ii）燃料ポンプ６０に入力されるデューティ値が正常値に対して第１規定値以上に上昇する条件とが存在する。制御部１００は（i）および（ii）の条件が満足されるとき、燃料ガスの元圧異常であると判定する。制御部１００は（i）の条件が満足されるとき、燃料ガスの元圧異常であると判定することにしても良い。判定マップも適宜更新できる。なお第１規定値はシステムまたは発電条件に応じて適宜変更できる。
【００７９】
（その他）
本発明は上記し且つ図面に示した各実施形態のみに限定されるものではなく、要旨を逸脱しない範囲内で適宜変更して実行できる。燃料ガス通路６において流量計６４、バッファタンク６５が搭載されていないシステムでも良い。
【００８０】
加熱部４０は水タンク４に設けられているが、廃止されていても良い。第１ガス搬送源は燃料ポンプ６０に限らず、ファン、コンプレッサでも良く、回転式、往復移動式、開閉式を問わず、要するに燃料ガス等の燃料ガスを下流に搬送できれば良い。カソードガス用の第２ガス搬送源は第２ガスポンプ７１に限らず、ファン、コンプレッサでも良く、要するにカソードガスを下流に搬送できれば良い。遮断弁６９は２連弁でも１連弁でも良い。上記した実施形態は定置形の燃料電池システムに適用しているが、これに限らず、脱硫器を有しない燃料電池システムに適用しても良いし、水素ガスであるアノードガスを充填した燃料タンクをガス源として有する車両搭載型の燃料電池システムに適用しても良い。
【００８１】
上記した記載から次の技術的思想が把握される。
（付記項１）アノードおよびカソードを有する燃料電池と、燃料ガスを元圧で供給させるガス源に繋がる元圧弁と前記燃料電池とを連通させると共に、前記元圧弁の開放により前記元圧弁から供給された燃料ガスを前記燃料電池に向けて供給させる燃料ガス通路と、前記燃料ガス通路に設けられ前記燃料ガス通路を開閉させる遮断弁と、前記燃料ガス通路において前記遮断弁の下流に設けられ電気入力により駆動して燃料ガスを前記燃料ガス通路の下流に向けて搬送させるガス搬送源と、前記燃料電池の目標発電量に対応するように前記ガス搬送源の電気入力量に関する物理量の正常値を設定し、発電運転において、前記ガス搬送源への電気入力量に関する物理量を正常値に対して接近または同一となるように制御させる制御部とを具備する燃料電池システム。
【符号の説明】
【００８２】
１は燃料電池、１０はアノード、１１はカソード、１８は発電モジュール、２Ａは改質器、２は蒸発部、３は改質部、４は水タンク、５は筐体、６は燃料ガス通路、６ｙは元圧弁、６０は燃料ポンプ（ガス搬送源）、６２は脱硫器、６３はガス源、６４は流量計、６６は逆止弁、６９は遮断弁、７０はカソードガス通路、７１は第２ガスポンプ（第２ガス搬送源）、７５は排ガス通路、８は給水路、１００は制御部を示す。
【図１】
0005985840.tif 000002
【図２】
0005985840.tif 000003
【図３】
0005985840.tif 000004
【図４】
0005985840.tif 000005
【図５】
0005985840.tif 000006
【図６】
0005985840.tif 000007
【図７】
0005985840.tif 000008
【図８】
0005985840.tif 000009
【図９】
0005985840.tif 000010
【図１０】
0005985840.tif 000011